(57)【要約】【課題】食品工場などにおいて、排水や換気の管路から悪臭や小さな羽虫などの侵入を防止する流体排出口の封口装置を提供する。【解決手段】排出流体により開弁する以外は閉弁状態の封止弁２と、該封止弁２を枢支し流体の排出口部Ａに嵌着可能な封止弁支持手段３とからなり、該封止弁手段３は前記排出口部Ａの内周面或いは外周面に嵌着する管部４と、該管部４の先端部に設けられ前記封止弁２を枢支するヒンジ部５とからなり、該排出口部Ａを汚水或いは雨水の集水枡内に開口した。【選択図】        図１
2005009619.tif 000002
【特許請求の範囲】
【請求項１】
排出流体により開弁する以外は閉弁状態の封止弁と、該封止弁を枢支し流体の排出口部に嵌着可能な封止弁支持手段とからなる流体排出口の封口装置。
【請求項２】
前記封止弁支持手段は前記排出口の内周面或いは外周面に嵌着する管部と、該管部の先端部に設けられ前記封止弁を枢支するヒンジ部とからなる請求項１に記載の流体排出口の封口装置。
【請求項３】
前記封止弁はスプリング或いは重力により前記管部に当接するように形成した請求項１又は請求項２に記載の流体排出口の封口装置。
【請求項４】
前記排出流体の管路の排出口は汚水或いは雨水の集水枡内に開口してなる請求項１乃至請求項３のいずれか１に記載の流体排出口の封口装置。
【請求項５】
前記排出流体の管路は、空気の流路に形成して換気扇を装着してなる請求項１乃至請求項３のいずれか１に記載の流体排出口の封口装置。
【発明の詳細な説明】
【０００１】
【発明の属する技術分野】
本発明は、食品関連の製造を行う工場や一般家庭などにおいて、排水や換気の管路から悪臭や小さな羽虫や有害な微小物質などの侵入を防止する流体排出口の封口装置に関する。
【０００２】
【従来の技術】
従来より食品関連の製造工場においては、食品に虫などの異物混入があるとクレームとなり取引停止など致命的な損失となるので、細心の注意をしており、出入口には二重に網戸を設けたりしてハエや小さな羽虫の侵入防止を行ったり、害虫などの駆除を定期的に行っている。
【０００３】
【発明が解決しようとする課題】
従来の食品の製造工場は出入口をきちんとしていても完全でなく、例えば、農村近郊などにある工場では、周囲の自然界に多数の昆虫が生息しており、又、汚水や雨水の排水管路にはトラップなどのガス逆流防止の機能のないものが多く、工場のみでなく一般家庭も一緒に使用している汚水や雨水が集められる集水枡やＵ字溝は、水が腐って悪臭や虫が大量発生し易く、この集水枡やＵ字溝に開口している排出口から小さな羽虫などが工場や家庭内に連通する排水管路から侵入したり、悪臭が入ってくるなどの問題点があり、又、工場や家庭内の複数の換気扇が連なった換気管路において外に開いた排出口から羽虫が侵入したり、悪臭が逆流したり、食品の品質や人の健康に有害な車の排ガス、ホコリ、花粉、カビなどが侵入する問題点があった。
【０００４】
本発明はこれらの問題点を解消し、排水や換気の管路から悪臭や小さな羽虫や有害な微小物質などの侵入を防止する流体排出口の封口装置を提供することを目的とする。
【０００５】
【課題を解決するための手段】
本発明は上記の目的を達成すべく、排出流体により開弁する以外は閉弁状態の封止弁と、該封止弁を枢支し流体の排出口部に嵌着可能な封止弁支持手段とからなる。
【０００６】
【発明の実施の形態】
本発明の１実施の形態を図１乃至図４により説明する。
【０００７】
１は本発明の１実施の形態である流体排出口の封口装置を示し、該封口装置１は円形又は方形の板状体からなる封止弁２と、該封止弁２を枢支し排出流体の排出口部Ａに嵌着可能な封止弁支持手段３とからなり、該封止弁支持手段３は前記排出口部Ａの内周面或いは外周面に嵌着可能な管部４と該管部４の先端部４ａの上部に設けた前記封止弁２を枢支するためのヒンジ部５とからなる。
【０００８】
そして図１に示す例では、該排出口Ａの内周面に嵌着した管部４の先端部４ａは斜めに形成しており、ヒンジ部５の支点５ａより封止弁２は図１で常に右側に重心が変位した斜めの状態となり該封止弁２自体の重力により先端部４ａに当接するように形成した。
【０００９】
又、図２に示す例では、管部４の先端部４ａが垂直に形成されており、ヒンジ部５にスプリング５ｂを設けて該スプリング５ｂの弾発により封止弁２を該先端部４ａに当接させるように形成している。
【００１０】
又、図３に示す例では、図２の例と同様に管部４の先端部４ａが垂直に形成されており、封止弁２の下部外方に突起する重り２ａを支点５ａにより重心を変位して設けて封止弁２を先端部４ａに当接させるように形成している。
【００１１】
排出口部Ａに嵌着する管部４は、連続した環形の筒体に形成されているか又は図４に示す如く切り込み溝部４ｂを設けた断面Ｃ字状の筒体４ｄに形成してもよく、この断面Ｃ字状の筒体の場合に、管部４を前記排出口部Ａの内周面に嵌着する時には管部４について該排出口部Ａの内周径よりやや大きなＣ字状の筒体４ｄの外径に形成し、管部４を該排出口部Ａの外周面に嵌着する時には管部４について該排出口Ａの外周径よりやや小さなＣ字状の筒体４ｄの内径に形成し、Ｃ字状の筒体４ｄの弾性で該筒体４ｄを排出口部Ａの嵌着面に密着するようにした。
【００１２】
尚、前記切り込み溝部４ｂの透間部分は前記ヒンジ部５の取付部分で覆うか、パッキングなどで埋めるようにした。４ｃはヒンジ部５の取付孔を示す。
【００１３】
この様に管部４を断面Ｃ字状の筒体４ｄとすることにより、一定の管径でなく、管径の相違する排出口部Ａの内、外径に合致して嵌着でき、又、方形の板の素材を曲面に加工してＣ字状の筒体４ｄに形成できるので製作が容易である。
【００１４】
次に、本発明の１実施の形態の使用方法を図面により説明する。
【００１５】
図５は食品工場や一般家庭からの下水の排出流路を示し、Ｂは汚水や雨水の集水枡、Ｃは浄化槽、ＤはＵ字溝を示し、これらの集水枡Ｂ内などに、排出管Ｅの排出口部Ａが形成されている。最も工場や一般家庭に近い個所の例えば集水枡Ｂの排出口部Ａに前記図１に示す如く本発明の封口装置１の管部４を嵌着して、封止弁２により該排出口部Ａを閉弁して悪臭や小さな羽虫などの侵入を防止することができる。
【００１６】
排水する時には、管部４の先端部４ａにスプリングや重力により当接している封止弁２を流勢により開弁して集水枡Ｂ内に排出させることができる。
【００１７】
もし、排出流量が少ない時には、図６に示す如く封止弁２を上部封止弁２ｂと下部封止弁２ｃに分割して、小流量時には下部封止弁２ｃのみが開弁し、上部封止弁２ｂは閉弁状態を保つことにより虫などの侵入機会を減ずることができ、大流量時には該上部封止弁２ｂも開弁して対応することができる。
【００１８】
又、他の実施の形態として、排出流体が空気の場合について図７により説明する。
【００１９】
食品工場や一般家庭において、単数或いは複数の換気扇Ｆを排出流路Ｇに装着し、該排出流路Ｇの排出口部Ａより換気排出しており、そのため該排出口部Ａから羽虫が侵入したり、悪臭が逆流したり、車の排ガス、ホコリ、花粉、カビなどの有害な物質が侵入することがある。
【００２０】
該排出口部Ａに前記図１又は図２に示した封口装置１の管部４を嵌着することにより、排水の場合と同様に、換気時には封止弁２が開弁し、換気時以外では閉弁状態となって小さな羽虫などの侵入を防止し、悪臭や、食品の品質や人の健康に有害な微小物の逆流を防ぐことができる。
【００２１】
このように、排水や換気の排出口から侵入する虫や悪臭を薬品を用いずに防ぐことができて、薬品使用による環境汚染も減らすことができる。
【００２２】
【発明の効果】
このように本発明によると、食品工場などにおいて、水や空気の排出流体により開弁する以外は閉弁状態の封止弁を枢支する封止弁支持手段を排出口部に嵌着して、該排出口部から侵入する虫や悪臭の逆流を防ぎ、異物混入を無くして製品の品質を向上させる効果を有し、又、薬品も用いずに虫や悪臭を防ぐことにより環境に対する汚染を低減する効果を有する。
【図面の簡単な説明】
【図１】本発明の１実施の形態の封口装置の断面図である。
【図２】封止弁のスプリングによる閉弁の断面図である。
【図３】封止弁の重りによる閉弁の断面図である。
【図４】封止弁支持手段の管部の斜視図である。
【図５】使用状態の排出流路の説明図である。
【図６】封止弁の上下分割構造の断面図である。
【図７】本発明の他の実施の形態の換気流路の説明図である。
【符号の説明】
１    封口装置
２    封止弁
３    封止弁支持手段
４    管部
５    ヒンジ部
Ａ    排出口部
Ｂ    集水枡
【図１】
2005009619.tif 000003
【図２】
2005009619.tif 000004
【図３】
2005009619.tif 000005
【図４】
2005009619.tif 000006
【図５】
2005009619.tif 000007
【図６】
2005009619.tif 000008
【図７】
2005009619.tif 000009
【手続補正書】
【提出日】平成15年6月30日(2003.6.30)
【手続補正１】
【補正対象書類名】図面
【補正対象項目名】全図
【補正方法】変更
【補正の内容】
【図１】
2005009619.tif 000010
【図２】
2005009619.tif 000011
【図３】
2005009619.tif 000012
【図４】
2005009619.tif 000013
【図５】
2005009619.tif 000014
【図６】
2005009619.tif 000015
【図７】
2005009619.tif 000016